【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
制御情報伝送リソースの上限の特定方法であって、
比例係数により、ＰＵＳＣＨ（Ｐｈｙｓｉｃａｌ  Ｕｐｌｉｎｋ  Ｓｈａｒｅｄ  Ｃｈａｎｎｅｌ）で制御情報の符号化変調シンボルが占める伝送リソースの上限を特定することを含む、制御情報伝送リソースの上限の特定方法。
【請求項２】
前記比例係数は、基地局が上位層シグナリングによって設定した比例係数である、請求項１に記載の特定方法。
【請求項３】
前記比例係数は、０以上かつ１以下である、請求項１に記載の特定方法。
【請求項４】
異なるＵＣＩ（Ｕｐｌｉｎｋ  Ｃｏｎｔｒｏｌ  Ｉｎｆｏｒｍａｔｉｏｎ）のタイプが、それぞれ、１つの比例係数に対応し、
前記の比例係数により、ＰＵＳＣＨで制御情報の符号化変調シンボルが占める伝送リソースの上限を特定することは、
対応する比例係数により、ＰＵＳＣＨで異なるＵＣＩのタイプの制御情報の符号化変調シンボルが占める伝送リソースの上限を特定することを含む、請求項１に記載の特定方法。
【請求項５】
異なるＵＣＩのビット数が、それぞれ、１つの比例係数に対応し、
前記の比例係数により、ＰＵＳＣＨで制御情報の符号化変調シンボルが占める伝送リソースの上限を特定することは、
対応する比例係数により、ＰＵＳＣＨで異なるＵＣＩのビット数の制御情報の符号化変調シンボルが占める伝送リソースの上限を特定することを含む、請求項１に記載の特定方法。
【請求項６】
前記の比例係数により、ＰＵＳＣＨで制御情報の符号化変調シンボルが占める伝送リソースの上限を特定することは、
ＨＡＲＱ−ＡＣＫ（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ）がＵＬ−ＳＣＨ（Ｕｐｌｉｎｋ  Ｓｈａｒｅｄ  Ｃｈａｎｎｅｌ）データのあるまたはないＰＵＳＣＨにマッピングされた場合、各トランスポートレイヤーにおけるＨＡＲＱ−ＡＣＫの符号化変調シンボルの数の上限を、
2021512547.tif 000001
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000002
ｓｉｏｎ  Ｍｕｌｔｉｐｌｅｘｉｎｇ）シンボルｌにおける、ＵＣＩ伝送に利用可能なリソースユニットセットであり、
2021512547.tif 000003
シンボルの数であり、全てのＤＭＲＳ（Ｄｅｍｏｄｕｌａｔｉｏｎ  Ｒｅｆｅｒｅｎｃｅ  Ｓｉｇｎａｌ）が占めるシンボルの数を含む、請求項１に記載の特定方法。
【請求項７】
前記の比例係数により、ＰＵＳＣＨで制御情報の符号化変調シンボルが占める伝送リソースの上限を特定することは、
第１部分チャネル状態情報がＵＬ−ＳＣＨデータのあるＰＵＳＣＨにマッピングされた場合、各トランスポートレイヤーにおける第１部分チャネル状態情報の符号化変調シンボルの数の上限を、
2021512547.tif 000004
ここで、Ｘは、各トランスポートレイヤーにおける第１部分チャネル状態情報の符号化変調シンボルの数の上限値を表し、
ｒａｔｉｏは、比例係数を表し、
2021512547.tif 000005
各トランスポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000006
リソースユニットセットであり、
2021512547.tif 000007
し、
2021512547.tif 000008
ニットセットであり、
2021512547.tif 000009
ＦＤＭシンボルの数であり、全てのＤＭＲＳが占めるシンボルの数を含む、請求項１に記載の特定方法。
【請求項８】
前記の比例係数により、ＰＵＳＣＨで制御情報の符号化変調シンボルが占める伝送リソースの上限を特定することは、
第２部分チャネル状態情報がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000010
含み、
ここで、Ｘは、各トランスポートレイヤーにおける第２部分チャネル状態情報の符号化変調シンボルの数の上限値を表し、
ｒａｔｉｏは、比例係数を表し、
2021512547.tif 000011
トランスポートレイヤーにおける、ＨＡＲＱ−ＡＣＫ伝送用の符号化変調シンボルの数を表し、
2021512547.tif 000012
ル状態情報伝送用の符号化変調シンボルの数を表し、
2021512547.tif 000013
ニットセットであり、
2021512547.tif 000014
シンボルの数であり、全てのＤＭＲＳが占めるシンボルの数を含む、請求項１に記載の特定方法。
【請求項９】
2021512547.tif 000015
に記載の特定方法。
【請求項１０】
コンピュータプログラムを記憶しているコンピュータ可読記憶媒体であって、
当該プロセッサによって実行されると、請求項１から請求項９のいずれか１項に記載の制御情報送信リソースの上限の特定方法のことを実現するコンピュータ可読記憶媒体。
【請求項１１】
制御情報伝送リソースの上限の特定装置であって、
比例係数により、ＰＵＳＣＨで制御情報の符号化変調シンボルが占める伝送リソースの上限を特定することに用いられる第１特定モジュールを含む、制御情報伝送リソースの上限の特定装置。
【請求項１２】
前記比例係数は、基地局が上位層シグナリングによって設定した比例係数であり、
および／または
前記比例係数は、０以上かつ１以下である、請求項１１に記載の特定装置。
【請求項１３】
異なるＵＣＩのタイプは、それぞれ、１つの比例係数に対応し、
前記第１特定モジュールは、
対応する比例係数により、ＰＵＳＣＨで異なるＵＣＩのタイプの制御情報の符号化変調シンボルが占める伝送リソースの上限を特定することに用いられる第１特定サブモジュールを含み、
または、
異なるＵＣＩのビット数は、それぞれ、１つの比例係数に対応し、
前記第１特定モジュールは、
対応する比例係数により、ＰＵＳＣＨで異なるＵＣＩのビット数の制御情報の符号化変調シンボルが占める伝送リソースの上限を特定することに用いられる第２特定サブモジュールを含む、請求項１１に記載の特定装置。
【請求項１４】
前記第１特定モジュールは、
ＨＡＲＱ−ＡＣＫがＵＬ−ＳＣＨデータのあるまたはないＰＵＳＣＨにマッピングされた場合、各トランスポートレイヤーにおけるＨＡＲＱ−ＡＣＫの符号化変調シンボルの数の上限を、
2021512547.tif 000016
ジュールを含み、
ここで、Ｘは、各トランスポートレイヤーにおけるＨＡＲＱ−ＡＣＫの符号化変調シンボルの数の上限値を表し、
ｒａｔｉｏは、比例係数を表し、
2021512547.tif 000017
ットであり、
2021512547.tif 000018
ンボルの数であり、全てのＤＭＲＳが占めるシンボルの数を含み、
または、
前記第１特定モジュールは、
第１部分チャネル状態情報がＵＬ−ＳＣＨデータのあるＰＵＳＣＨにマッピングされた場合、各トランスポートレイヤーにおける第１部分チャネル状態情報の符号化変調シンボルの数の上限を、
2021512547.tif 000019
ジュールを含み、
ここで、Ｘは、各トランスポートレイヤーにおける第１部分チャネル状態情報の符号化変調シンボルの数の上限値を表し、
ｒａｔｉｏは、比例係数を表し、
2021512547.tif 000020
スポートレイヤーにおける、ＨＡＲＱ−ＡＣＫ伝送用の符号化変調シンボルの数を表し、
ＨＡＲＱ−ＡＣＫの情報ビット数が１または２である場合、
2021512547.tif 000021
スユニットセットであり、
2021512547.tif 000022
、
2021512547.tif 000023
ットであり、
2021512547.tif 000024
Ｍシンボルの数であり、全てのＤＭＲＳが占めるシンボルの数を含み、
または、
前記第１特定モジュールは、
第２部分チャネル状態情報がＵＬ−ＳＣＨデータのあるＰＵＳＣＨにマッピングされた場合、各トランスポートレイヤーにおける第２部分チャネル状態情報の符号化変調シンボルの数の上限を、
2021512547.tif 000025
れる第５特定サブモジュールを含み、
ここで、Ｘは、各トランスポートレイヤーにおける第２部分チャネル状態情報の符号化変調シンボルの数の上限値を表し、
ｒａｔｉｏは比例係数を表し、
2021512547.tif 000026
スポートレイヤーにおける、ＨＡＲＱ−ＡＣＫ伝送用の符号化変調シンボルの数を表し、
2021512547.tif 000027
情報伝送用の符号化変調シンボルの数を表し、
2021512547.tif 000028
セットであり、
2021512547.tif 000029
であり、全てのＤＭＲＳが占めるシンボルの数を含む、請求項１１に記載の通信機器。
【請求項１５】
2021512547.tif 000030
2021512547.tif 000031